(57)【要約】【課題】アラーム時刻の誤設定を防止することができ、かつ容易にアラーム時刻を設定することが可能であり、また設定したアラーム時刻を把握しやすい時計を提供する。【解決手段】時刻表示目盛群２００よりも外周に形成されたアラーム目盛群３００を有する文字板１０と、所望のアラーム目盛に合わせることでアラーム時刻が設定されるアラーム用指針３０とを有するアナログ時計１において、アラーム用指針３０は、アラーム用指針３０により指し示されるアラーム目盛近傍よりも時刻表示目盛に重なる領域が幅広に形成されている。【選択図】          図２
2007263757.tif 000002
【特許請求の範囲】
【請求項１】
時刻表示目盛群よりも外周に形成されたアラーム目盛群を有する文字板と、所望のアラーム目盛に合わせることでアラーム時刻が設定されるアラーム用指針とを有する時計において、
前記アラーム用指針は、前記アラーム用指針により指し示されるアラーム目盛近傍よりも時刻表示目盛に重なる領域が幅広に形成されていることを特徴とする時計。
【請求項２】
前記アラーム用指針は前記アラーム用指針の所定の移動領域に渡って前記アラーム用指針により指し示されるアラーム目盛の近傍の時刻表示目盛を覆い隠すように目隠し部が形成されていることを特徴とする請求項１に記載の時計。
【請求項３】
前記所定の移動領域とは、隣接するアラーム目盛間の領域をいうことを特徴とする請求項２に記載の時計。
【請求項４】
前記目隠し部は、常に何れかの時刻表示目盛を覆い隠すように形成されていることを特徴とする請求項１又は２に記載の時計。
【発明の詳細な説明】
【技術分野】
【０００１】
本発明は、時計、特に、アラーム時刻を設定することができるアナログ時計に関する。
【背景技術】
【０００２】
従来から、アラーム用指針を用いてアラーム時刻を設定するアナログ時計が知られている（特許文献１、特許文献２参照）。
このような時計は、例えば図５に示すように、文字板５１０に円周状に時刻表示目盛群７００と、アラーム目盛群８００とが形成されており、アラーム用指針５３０を所望のアラーム目盛に設定することによって、アラーム時刻を設定することができるものが知られている。
しかし、図５に示すように、アラーム目盛群８００が、時刻表示目盛群７００よりも内周側に形成されていると、円周の直径が小さくなる分アラーム目盛のピッチ間隔が狭くなるので、アラーム時刻の設定が困難になってしまうという問題があった。また、一度設定したアラーム時刻が何時何分であるのか把握しにくいという問題があった。
上記問題点から、例えば図６に示すように、アラーム目盛群８００ａを時刻表示目盛７００の外周部に形成することにより、アラーム目盛のピッチ間隔を広く取り、アラーム時刻の設定を容易とするものが提案されている。
【０００３】
【特許文献１】特開２００５−３６５５号公報
【特許文献２】実公平６−２１５７号公報
【発明の開示】
【発明が解決しようとする課題】
【０００４】
しかし、時計の外形サイズの関係上、文字板は極端に大きくすることができない。そのため、アラーム表示目盛は時刻表示目盛の近傍に形成されることになり、その結果、時刻表示目盛をアラーム表示目盛と誤認してアラーム時刻の設定がなされてしまう場合があった。このように、時刻表示目盛とアラーム目盛とを誤認してアラーム時刻が設定されてしまうと、アラーム表示目盛と時刻表示目盛のピッチ間隔が異なるため、所望の時刻にアラームが作動しないという問題があった。
【０００５】
そこで、本発明は、アラーム時刻の誤設定を防止することができ、かつ容易にアラーム時刻を設定することが可能であり、また設定したアラーム時刻を把握しやすい時計を提供することを目的とする。
【課題を解決するための手段】
【０００６】
上記目的は、時刻表示目盛群よりも外周に形成されたアラーム目盛群を有する文字板と、所望のアラーム目盛に合わせることでアラーム時刻が設定されるアラーム用指針とを有する時計において、前記アラーム用指針には、前記アラーム用指針により指し示されるアラーム目盛から最も近傍の時刻表示目盛を覆い隠す目隠し部が形成されている時計によって達成できる。
この構成により、アラーム用指針は、指し示されるアラーム目盛の近傍の時刻表示目盛を覆い隠すため、時刻表示目盛とアラーム目盛との誤認を防止できる。これにより、アラーム時刻の誤設定を防止できる。
【０００７】
また、上記構成において、前記目隠し部は、前記アラーム用指針の所定の移動領域に渡って前記アラーム用指針により指し示されるアラーム目盛の近傍の時刻表示目盛を覆い隠すように形成されている、構成を採用できる。
この構成により、アラーム用指針の所定の移動領域に渡って時刻表示目盛を覆い隠すため、アラーム時刻を設定する際に時刻表示目盛とアラーム目盛との誤認を防止できる。
【０００８】
また、上記構成において、前記所定の移動領域とは、何れか一方向に隣接するアラーム目盛間の領域をいう、構成を採用できる。
この構成により、アラーム時刻を設定する際に時刻表示目盛とアラーム目盛との誤認を確実に防止できる。
【０００９】
また、上記構成において、前記目隠し部は、常に何れかの時刻表示目盛を覆い隠すように形成されている、構成を採用できる。
時刻表示目盛はアラーム用指針により常に覆い隠されるため、アラーム時刻を設定する際に時刻表示目盛とアラーム目盛との誤認を確実に防止できる。
【発明の効果】
【００１０】
アラーム時刻の誤設定を防止することができ、かつ容易にアラーム時刻を設定することが可能であり、また設定したアラーム時刻を把握しやすい時計を提供できる。
【発明を実施するための最良の形態】
【００１１】
以下、図面を参照して本発明に係る複数の実施例について説明する。
【実施例１】
【００１２】
図１は、実施例１に係るアナログ時計の正面図である。
文字板１０、時刻数字２０、アラーム用指針３０、時刻表示目盛群２００、アラーム目盛群３００から構成される。そのほか、時刻指針、分指針については省略してある。
【００１３】
文字板１０は、１から１２の数字からなる時刻数字２０が、文字板１０の周方向に３０°毎の等間隔で、「１２」を最上部にして「１」から順に形成されている。時刻指針、分指針が所要の回転角度となり、文字板１０上の時刻数字２０を指し示して、現在時刻をアナログ表示する。
【００１４】
アラーム用指針３０は、所望のアラーム時刻を設定するための針であり、所望のアラーム目盛にアラーム用指針３０を合わせることにより、アラーム時刻を設定することができる。また、アラーム用指針３０は、連続的に移動可能に形成されている。
【００１５】
時刻表示目盛群２００は、時刻数字２０の外周に隣接して、周方向に形成されている。また、時刻表示目盛群２００は、隣接する時刻数字２０間を５等分するように形成されている。従って、時刻表示目盛群２００は、文字板１０の一周分を６０等分するように形成されている。
【００１６】
アラーム目盛群３００は、時刻表示目盛群２００の外周に隣接して、周方向に形成されている。また、アラーム目盛群３００は、隣接する時刻数字２０間を１２等分するように形成されている。従って、アラーム目盛群３００は、文字板１０の一周分を１４４等分するように形成されている。
【００１７】
従って、アラーム目盛群３００のピッチ間隔は、時刻表示目盛群２００のピッチ間隔よりも狭く形成されている。これは、時刻表示目盛群２００が、隣接する時刻数字２０間で５分間を示し、１分毎に目盛が形成されているのに対し、アラーム目盛群３００は、隣接する時刻数字２０間で１時間を示し、５分毎に目盛が形成されているからである。従って、アラーム用指針３０をアラーム目盛群３００の何れかの目盛に合わせてアラーム時刻の設定をする場合には、５分毎に設定することができる。
【００１８】
このように、アラーム目盛群３００と時刻目盛群２００のピッチ間隔が異なるので、アラーム時刻を設定する際に、アラーム目盛群と時刻目盛群を誤認して、時刻目盛群を目安にアラーム時刻を設定してしまうと、所望する時刻にアラームを作動させることができなくなる。
【００１９】
次に、アラーム用指針３０について詳細に説明する。
図２は、アラーム用指針が所定のアラーム目盛を指し示したときのアラーム用指針の先端部と、その周辺の文字板との構成を示した拡大図である。
アラーム用指針３０の先端部は、三角形状に形成されている。また、アラーム用指針３０の先端部には、アラーム目盛群３００を指し示すための鋭角部３１が形成されている。鋭角部３１は、指し示されるアラーム目盛をユーザが誤認しないように、鋭角に形成されている。
【００２０】
また、アラーム目盛群３００は、アラーム目盛３０１〜３０７を含み、図２に示すように、アラーム用指針３０の鋭角部３１は、アラーム目盛３０３を指し示している。このアラーム目盛３０１〜３０７は５分毎に形成されており、例えば図２に示した状態では、午前０時１０分又は午後１２時１０分にアラーム時刻の設定がされている状態を示している。
また、時刻表示目盛群２００は、時刻表示目盛２０１〜２０３を含み、前述したように、アラーム時刻目盛群３００よりも内周に形成されている。
【００２１】
ここで、アラーム用指針３０は、アラーム用指針３０により指し示されるアラーム目盛近傍よりも時刻表示目盛に重なる領域が幅広に形成されている。
具体的には、アラーム用指針３０の先端部は、アラーム用指針３０により指し示されるアラーム目盛の近傍の時刻表示目盛を覆い隠す目隠し部３２が形成されている。
この目隠し部３２は、鋭角部３１により指し示されたアラーム目盛３０３の近傍に形成された時刻表示目盛２０１を覆い隠している。
この構成により、アラーム用指針３０は、指し示されるアラーム目盛３０３の近傍の時刻表示目盛２０１を覆い隠すため、時刻表示目盛２０１とアラーム目盛３０３との誤認を防止できる。これにより、アラーム時刻の誤設定を防止することができる。
【００２２】
図３は、アラーム用指針が隣接するアラーム目盛を指し示したときのアラーム用指針の先端部と、その周辺の文字板との構成を示した拡大図である。
アラーム用指針３０の先端部は、アラーム目盛３０３の右側に隣接するアラーム目盛３０４の近傍を指し示している。この場合であっても、時刻表示目盛２０１は、目隠し部３２により覆い隠される。
【００２３】
このように、目隠し部３２は、アラーム用指針３０の所定の移動領域に渡ってアラーム用指針３０により指し示されるアラーム目盛３０３の近傍の時刻表示目盛２０１を覆い隠すように形成されている。この構成により、アラーム時刻を設定する際に時刻表示目盛とアラーム目盛との誤認を防止できる。
また、詳細には、アラーム用指針３０は、何れか一方向に隣接するアラーム目盛間の領域に渡ってアラーム用指針３０により指し示されるアラーム目盛３００の近傍の時刻表示目盛２００を覆い隠すように形成されている。この構成により、アラーム時刻を設定する際に時刻表示目盛とアラーム目盛との誤認を確実に防止できる。
【００２４】
また、アラーム用指針３０は、アラーム目盛を指し示す先端部が鋭角に形成されている鋭角部３１を有するため、アラーム時刻の設定を容易なものとし、現在設定されているアラーム時刻についても容易に把握することができる。
また、アラーム目盛群３００は、時刻表示目盛群２００よりも外周に形成されているため、内周に形成された場合よりも、アラーム目盛のピッチ間を広く取ることができ、アラーム時刻の設定や把握が容易となる。
【実施例２】
【００２５】
次に、実施例２に係る時計について説明する。尚、実施例１の時計１と同様の部分には、同一の符号を付することで重複する説明を省略する。図４は、実施例２に係るアナログ時計のアラーム用指針が所定のアラーム目盛を指し示したときのアラーム用指針の先端部と、その周辺の文字板との構成を示した拡大図である。
【００２６】
図４に示すようにアラーム用指針３０ａの先端部は、平行四辺形状に形成されている。このアラーム用指針３０ａの先端部は、平行四辺形の対角線がアラーム用指針３０ａの延伸方向と直交するように形成されている。また、アラーム用指針３０ａの先端部には、アラーム目盛群３００を指し示すための鋭角部３１ａが形成されている。
【００２７】
この平行四辺形の対角線上に目隠し部３２ａが形成されている。この目隠し部３２ａは、常に何れかの時刻表示目盛を覆い隠すように形成されている。具体的には、目隠し部３２ａの幅は、互いに隣接する時刻表示目盛２０１の中心位置と時刻表示目盛２０２との中心位置との距離を有する。
これにより、時刻表示目盛はアラーム用指針により常に覆い隠されるため、アラーム時刻を設定する際に時刻表示目盛とアラーム目盛との誤認を確実に防止できる。
【００２８】
また、鋭角部３１ａは、指し示されるアラーム目盛の視認性を向上させるため、アラーム用指針３０ａのその他の部分とは異なる色で形成されている。このため、アラーム用指針３０ａにより指し示されるアラーム目盛を把握することが容易となり、現在設定されているアラーム時刻を容易に把握することができる。
【００２９】
以上本発明の好ましい一実施形態について詳述したが、本発明は係る特定の実施形態に限定されるものではなく、特許請求の範囲に記載された本発明の要旨の範囲内において、種々の変形・変更が可能である。
例えば、アラーム用指針の先端はアラーム時刻目盛の視認性を向上させるためのマークや目印が形成されていたり、異なる色で形成されていれば必ずしも鋭角でなくともよく、円盤状であってもよい。
【図面の簡単な説明】
【００３０】
【図１】実施例１に係るアナログ時計の正面図である。
【図２】アラーム用指針が所定のアラーム目盛を指し示したときのアラーム用指針の先端部と、その周辺の文字板との構成を示した拡大図である。
【図３】アラーム用指針が所定のアラーム目盛に隣接するアラーム目盛を指し示したときのアラーム用指針の先端部と、その周辺の文字板との構成を示した拡大図である。
【図４】実施例２に係るアナログ時計のアラーム用指針が所定のアラーム目盛を指し示したときのアラーム用指針の先端部と、その周辺の文字板との構成を示した拡大図である。
【図５】従来のアナログ時計の正面図である。
【図６】従来のアナログ時計の正面図である。
【符号の説明】
【００３１】
１、１ａ        時計
１０            文字板
２０            時刻数字
３０            アラーム用指針
３１、３１ａ    鋭角部
３２、３２ａ    目隠し部
２００          時刻表示目盛群
３００          アラーム目盛群
【図１】
2007263757.tif 000003
【図２】
2007263757.tif 000004
【図３】
2007263757.tif 000005
【図４】
2007263757.tif 000006
【図５】
2007263757.tif 000007
【図６】
2007263757.tif 000008